(57)【要約】【課題】電源スイッチがオフ状態の場合には入射光を遮断するノーマリーブラック型の液晶シャッタを用いた液晶シャッタ眼鏡及び表示システムを提供する。【解決手段】液晶シャッタ眼鏡１は、右目用及び左目用液晶シャッタ１７、１８と、電源スイッチ１２とを有する。電源スイッチ１２がオフ状態の場合、右目用及び左目用液晶シャッタ１７、１８は閉状態であり入射光を遮断する。表示システムは、右目用及び左目用の映像を表示する表示装置２と、液晶シャッタ眼鏡１とを有する。表示装置２は、右目用及び左目用の映像の切り替えと右目用又は左目用液晶シャッタ１７、１８の開閉との同期をとるための信号を液晶シャッタ眼鏡１に送信し、液晶シャッタ眼鏡１は、その信号を従って右目用及び左目用液晶シャッタ１７、１８を開閉する。【選択図】図２
2012037576.tif 000002
【特許請求の範囲】
【請求項１】
電源スイッチと、該電源スイッチがオンの場合に開閉が反復される液晶シャッタとを備える液晶シャッタ眼鏡において、
前記電源スイッチがオフの場合、前記液晶シャッタは閉状態であることを特徴とする液晶シャッタ眼鏡。
【請求項２】
前記液晶シャッタは、右目用及び左目用液晶シャッタを備えることを特徴とする請求項１記載の液晶シャッタ眼鏡。
【請求項３】
右目用及び左目用の映像を表示する表示装置と、右目用及び左目用液晶シャッタを有する液晶シャッタ眼鏡とを備え、
前記表示装置は、
右目用及び左目用の映像の切り替えと前記右目用及び左目用液晶シャッタの開閉との同期をとるための信号を送信する手段を備え、
前記液晶シャッタ眼鏡は、
電源スイッチと、
前記信号を受信する受信手段と、
前記電源スイッチがオンの場合、該受信手段が受信した信号に従って前記右目用及び左目用液晶シャッタを開閉する手段と
を備え、
前記電源スイッチがオフの場合、前記右目用及び左目用液晶シャッタは閉状態であることを特徴とする表示システム。
【発明の詳細な説明】
【技術分野】
【０００１】
本発明は、液晶シャッタ眼鏡及び表示システムに関する。
【背景技術】
【０００２】
液晶シャッタ眼鏡は、３Ｄ映像システムで用いられる表示装置に表示されている右目用及び左目用の映像に同期させて右目用及び左目用液晶シャッタを開閉し、右目用及び左目用の映像を透過又は遮断することにより、使用者に奥行き感及び立体感を認識させる。
例えば、液晶シャッタ眼鏡は、液晶シャッタを駆動する駆動回路及びその駆動回路に電力を供給する電池間に介挿された電源スイッチと、パイロットランプ（例えば、ＬＥＤ）とを有し、電源スイッチがオンの場合、パイロットランプを用いてその旨を使用者に報知する。しかし、パイロットランプの場所は液晶シャッタ眼鏡の構造及び形状に依存するため、使用者にとって視認しにくい姿勢で液晶シャッタ眼鏡が置かれた場合、使用者は、パイロットランプの点灯状態を容易に識別できない。そのため、液晶シャッタ眼鏡は、使用者が使用していない場合であっても電源スイッチがオンのまま放置されやすく、電力が消費され、電池寿命を早めることになる。
【０００３】
特許文献１には、液晶シャッタ眼鏡の電源スイッチがオンにされた場合、液晶シャッタを一定期間閉鎖し、その後、液晶シャッタを開放することにより電源スイッチがオン状態であることを認識できるようにした液晶シャッタ眼鏡が記載されている。
【先行技術文献】
【特許文献】
【０００４】
【特許文献１】特開平８−２７８４６８号公報（例えば、段落００１４）
【発明の概要】
【発明が解決しようとする課題】
【０００５】
特許文献１記載の液晶シャッタ眼鏡は、電源スイッチがオフすなわち電圧が印可されていない状態では入射光を透過させるノーマリーホワイト型の液晶シャッタを用いている。したがって、電源スイッチがオフの場合に液晶シャッタは透明であるため、使用者は、電源スイッチがオフであるか否かを識別することが困難であり、未使用時に電源スイッチを切り忘れ、電池寿命を早めることになる。
【０００６】
本発明は斯かる事情に鑑みてなされたものであり、電源スイッチがオフすなわち電圧が印可されていない状態では入射光を遮断するノーマリーブラック型の液晶シャッタを用いることにより、未使用時の電源スイッチの切り忘れを防止できる液晶シャッタ眼鏡及び表示システムを提供することを目的とする。
【課題を解決するための手段】
【０００７】
本発明の液晶シャッタ眼鏡は、電源スイッチと、該電源スイッチがオンの場合に開閉が反復される液晶シャッタとを備える液晶シャッタ眼鏡において、前記電源スイッチがオフの場合、前記液晶シャッタは閉状態であることを特徴とする。
【０００８】
本発明にあっては、液晶シャッタ眼鏡の電源スイッチがオフの場合、液晶シャッタは、入射光が遮断され黒い状態であるため、電源スイッチがオフであるか否かを容易に識別できる。
【０００９】
本発明の液晶シャッタ眼鏡において、前記液晶シャッタは、右目用及び左目用液晶シャッタを備えることを特徴とする。
【００１０】
本発明にあっては、液晶シャッタ眼鏡の電源スイッチがオフの場合、右目用及び左目用液晶シャッタは、入射光が遮断され黒い状態であるため、電源スイッチがオフであるか否かを容易に識別できる。
【００１１】
本発明の表示システムは、右目用及び左目用の映像を表示する表示装置と、右目用及び左目用液晶シャッタを有する液晶シャッタ眼鏡とを備え、前記表示装置は、右目用及び左目用の映像の切り替えと前記右目用及び左目用液晶シャッタの開閉との同期をとるための信号を送信する手段を備え、前記液晶シャッタ眼鏡は、電源スイッチと、前記信号を受信する受信手段と、前記電源スイッチがオンの場合、該受信手段が受信した信号に従って前記右目用及び左目用液晶シャッタを交互に開閉する手段とを備え、前記電源スイッチがオフの場合、前記右目用及び左目用液晶シャッタは閉状態であることを特徴とする。
【００１２】
本発明にあっては、表示装置から送信される信号に従って右目用及び左目用液晶シャッタの開閉を行い、右目用及び左目用液晶シャッタ眼鏡の電源スイッチがオフの場合、右目用及び左目用液晶シャッタは閉状態である。すなわち、電源スイッチがオフの場合、右目用及び左目用液晶シャッタは、入射光が遮断され黒い状態であるため、電源スイッチがオフであるか否かを容易に識別できる。
【発明の効果】
【００１３】
本発明によれば、電源スイッチがオフすなわち電圧が印可されていない状態では入射光を遮断するノーマリーブラック型の液晶シャッタを用いるため、未使用時の電源スイッチの切り忘れを防止できる。
【図面の簡単な説明】
【００１４】
【図１】表示システムの一構成例を示す模式図である。
【図２】液晶シャッタ眼鏡の一構成例を示すブロック図である。
【図３】右目用液晶シャッタ及び左目用液晶シャッタの開閉と、表示装置の表示部に表示される右目用の映像又は左目用の映像との対応関係を示す模式図である。
【図４】電源スイッチがオフ状態の場合とオン状態の場合の液晶シャッタ眼鏡の外観例を示す模式図である。
【図５】表示装置の一構成例を示すブロック図である。
【発明を実施するための形態】
【００１５】
以下、図面を参照して実施の形態を具体的に説明する。
図１は、表示システムの一構成例を示す模式図である。
表示システムは、液晶シャッタ眼鏡１及び表示装置２を有する。
【００１６】
表示装置２は、映像を表示する表示部２５及び液晶シャッタ眼鏡１に同期信号を送信する同期信号送信部２７を有する。同期信号とは、表示装置２が液晶シャッタ眼鏡１に送信する信号であって、表示装置２が右目用の映像と左目用の映像とを切り替えて表示するのに同期させて液晶シャッタ眼鏡１を制御するための信号である。同期信号送信部２７は、矩形枠状の前キャビネットの中央下部に設けられているが、特にこれに限定されるものではない。
【００１７】
液晶シャッタ眼鏡１は、表示装置２から送信された同期信号を受信する同期信号受信部１５と、表示装置２に表示された右目用の映像及び左目用の映像それぞれを同期信号に従って透過又は遮断させる右目用液晶シャッタ１７及び左目用液晶シャッタ１８と、使用者の操作によりオン又はオフされる電源スイッチ１２を有する。
【００１８】
同期信号受信部１５は、液晶シャッタ眼鏡１の鼻パッド上部の略中央部に設けられているが、特にこれに限定されるものではない。また、電源スイッチ１２は、液晶シャッタ眼鏡１のフレームの左部に設けられているが、特にこれに限定されるものではない。例えば、液晶シャッタ眼鏡１の装着中に電源スイッチ１２のオンとオフの切り替え操作が簡単にできるような場所に電源スイッチ１２を設けてもよい。
【００１９】
図２は、液晶シャッタ眼鏡の一構成例を示すブロック図である。
液晶シャッタ眼鏡１は、液晶シャッタ眼鏡制御部１０、電池１１、電源スイッチ１２、タイマ１３、発振回路１４、同期信号受信部１５、液晶シャッタ駆動部１６、右目用液晶シャッタ１７及び左目用液晶シャッタ１８を有する。
【００２０】
電池１１は、例えばリチウム電池、アルカリマンガン電池等のボタン型一次電池、又はリチウムイオン電池等の二次電池である。電池１１は、液晶シャッタ眼鏡制御部１０に電圧を印可する。
【００２１】
液晶シャッタ駆動部１６は、電源スイッチ１２がオン状態の場合、右目用液晶シャッタ１７及び左目用液晶シャッタ１８に電圧を印可し、電源スイッチ１２がオフ状態の場合、右目用液晶シャッタ１７及び左目用液晶シャッタ１８に電圧を印可しない。
【００２２】
右目用液晶シャッタ１７及び左目用液晶シャッタ１８は、ノーマリーブラック型の液晶シャッタである。したがって、電源スイッチ１２がオフ状態であって右目用液晶シャッタ１７及び左目用液晶シャッタ１８に電圧が印可されていない場合、右目用液晶シャッタ１７及び左目用液晶シャッタ１８は全閉状態であり入射光を遮断する。すなわち、電源スイッチ１２がオフ状態の場合には右目用液晶シャッタ１７及び左目用液晶シャッタ１８は黒い状態である。これに対して、電源スイッチ１２がオン状態であって右目用液晶シャッタ１７及び左目用液晶シャッタ１８に電圧が印可されている場合、右目用液晶シャッタ１７及び左目用液晶シャッタ１８は同期信号に従って開閉が反復され入射光を透過又は遮断する。
【００２３】
発振回路１４は、液晶シャッタ眼鏡制御部１０を動作させると共に、右目用液晶シャッタ１７及び左目用液晶シャッタ１８を開閉させる基準となるクロックを生成し、生成したクロックを液晶シャッタ眼鏡制御部１０へ出力する回路である。
【００２４】
同期信号受信部１５は、例えば、赤外線受光部を有し、右目用の映像及び左目用の映像との表示に同期させて、右目用液晶シャッタ１７及び左目用液晶シャッタ１８を交互に開閉させるべく、表示装置２から送信される赤外線の同期信号を受信し、受信した同期信号を液晶シャッタ眼鏡制御部１０へ与える。尚、赤外線の代わりに電波又は有線を用いて、表示装置２における映像表示動作と右目用液晶シャッタ１７及び左目用液晶シャッタ１８の開閉を同期させてもよい。
【００２５】
液晶シャッタ眼鏡制御部１０は、同期信号受信部１５から与えられた同期信号を用いて、右目用液晶シャッタ１７及び左目用液晶シャッタ１８の開閉を制御するための右目用の液晶シャッタ制御信号及び左目用の液晶シャッタ制御信号を作成して、液晶シャッタ駆動部１６に与える。
【００２６】
液晶シャッタ駆動部１６は、右目用の液晶シャッタ制御信号及び左目用の液晶シャッタ制御信号に従って右目用液晶シャッタ１７及び左目用液晶シャッタ１８に対して電圧を交互に印可することにより右目用液晶シャッタ１７及び左目用液晶シャッタ１８を開閉する。右目用の液晶シャッタ制御信号は、例えば、周波数が１２０Ｈｚ、ディーティ比５０％の矩形波信号であり、左目用の液晶シャッタ制御信号は、右目用の液晶シャッタ制御信号の位相を反転、すなわち位相を１８０度ずらした信号である。
【００２７】
タイマ１３は、液晶シャッタ眼鏡制御部１０による時間に基づく制御の為の時間情報を液晶シャッタ眼鏡制御部１０に供給する。例えば、タイマ１３は、同期信号受信部１５が同期信号を受信していない時間を計測し、その時間が所定時間を超えた場合、液晶シャッタ眼鏡制御部１０に対してその旨を通知してもよい。その場合、その通知を受けた液晶シャッタ眼鏡制御部１０は、液晶シャッタ眼鏡１の電源スイッチをオフにする。
【００２８】
表示装置２は、表示部２５に右目用の映像と左目用の映像とを切り替えて表示する。液晶シャッタ眼鏡１は、その切り替えと同期して右目用液晶シャッタ１７及び左目用液晶シャッタ１８を開閉することで視差を生み出す。この方式をフレームシーケシャル方式と呼ぶ。フレームシーケンシャル方式では、表示装置２は、１２０コマ／秒（ｆｐｓ）のフレームレートで、右目用の映像及び左目用の映像として、それぞれ６０コマ／秒の映像を表示部２５に交互に映す。各映像には視差が設けられているため、使用者は、交互に一方の視界を確保する右目用液晶シャッタ１７及び左目用液晶シャッタ１８を通して右目用の映像及び左目用の映像を交互に見る。
【００２９】
図３は、右目用液晶シャッタ及び左目用液晶シャッタの開閉と、表示装置の表示部に表示される右目用の映像又は左目用の映像との対応関係を示す模式図である。特に、図３Ａは、右目用液晶シャッタを開放する一方、左目用液晶シャッタを閉鎖することにより右目の視界を確保した状態を示し、図３Ｂは、左目用液晶シャッタを開放する一方、右目用液晶シャッタを閉鎖することにより左目の視界を確保した状態を示す。
【００３０】
図３Ａに示すように、右目用の映像８が表示部２５に表示されているタイミングで右目用液晶シャッタ１７は開放され、左目用液晶シャッタ１８は閉鎖される。一方、図３Ｂに示すように、左目用の映像９が表示部２５に表示されているタイミングで左目用液晶シャッタ１８は開放され、右目用液晶シャッタ１７は閉鎖される。
このように、液晶シャッタ眼鏡制御部１０は、表示装置２による制御の下、右目用液晶シャッタ１７及び左目用液晶シャッタ１８を開閉することによって右目用の映像８及び左目用の映像９を透過又は遮断する。
【００３１】
図４は、電源スイッチがオフ状態の場合とオン状態の場合の液晶シャッタ眼鏡の外観例を示す模式図である。特に、図４Ａは、電源スイッチがオフ状態の場合の液晶シャッタ眼鏡の外観例、図４Ｂは、電源スイッチがオン状態の場合の液晶シャッタ眼鏡の外観例を示す。
図４Ａに示すように、液晶シャッタ眼鏡１の電源スイッチ１２がオフ状態では、右目用液晶シャッタ１７及び左目用液晶シャッタ１８は、閉鎖されて黒い状態である。一方、図４Ｂに示すように、液晶シャッタ眼鏡１の電源スイッチ１２がオン状態では、右目用液晶シャッタ１７及び左目用液晶シャッタ１８は、開放されて透明である。
【００３２】
本実施の形態に係る液晶シャッタ眼鏡１は、電源スイッチ１２がオフ状態の場合、右目用液晶シャッタ１７及び左目用液晶シャッタ１８を全閉状態であり黒い状態であるため電源スイッチ１２がオフ状態であることを使用者は容易に認識できる。更に、本実施の形態に係る液晶シャッタ眼鏡１は、電源スイッチ１２がオン状態の場合には右目用液晶シャッタ１７及び左目用液晶シャッタ１８を全開状態であり透明であるため電源スイッチ１２がオン状態であることを使用者は容易に認識できる。
尚、右目用液晶シャッタ１７又は左目用液晶シャッタ１８のいずれか一方をノーマルホワイト型の液晶シャッタにすることで、電源スイッチ１２がオフ状態の場合には右目用液晶シャッタ１７及び左目用液晶シャッタ１８の一方を開状態にし、他方を閉状態にすることにより、電源スイッチ１２がオフ状態と認識できるような構成にしてもよい。
【００３３】
図５は、表示装置の一構成例を示すブロック図である。
表示装置２は、表示制御部２０、映像入力部２１、チューナ部２２、ＡＶスイッチ２３、信号処理部２４、表示部２５、スピーカ２６、同期信号送信部２７及び記憶部２８を有する。
【００３４】
映像入力部２１は、図示しない各種外部機器から出力された３Ｄ映像の映像信号及び音声信号が入力される入力インタフェースであり、入力された映像信号及び音声信号をＡＶスイッチ２３へ与える。外部機器は、例えば、衛星放送チューナ、ケーブルテレビチューナ、ＩＰ放送チューナ等のチューナ、ＢＤレコーダ、ＨＤＤレコーダ等の映像再生装置等である。
【００３５】
３Ｄの映像信号は、例えば、サイド・バイ・サイド（side by side）方式で伝送される。サイド・バイ・サイド方式とは、右目用の映像８の１フレームと左目用の映像９の１フレームとをそれぞれ水平方向に１／２に圧縮し、各フレームを横に並べて１枚のフレームとして送信する伝送方式である。右目用の映像８及び左目用の映像９を並べた１枚のフレームは、２Ｄ映像と同様の方式で伝送することができるため、既存のインフラを利用することができる。
尚、その他の伝送方式、例えば右目用の映像８の１フレームと、左目用の映像９の１フレームとを各別に送信する伝送方式で受信した３Ｄ映像についても本発明を適用することができる。
【００３６】
チューナ部２２は、アンテナＡで受信した放送信号を増幅して特定チャンネルの信号を選択する。その信号は、ＯＦＤＭ（Orthogonal Frequency-Division Mutiplexing)方式で変調されている。チューナ部２２は、図示しない復調部を有しており、選択された特定チャンネルの信号を、ＭＰＥＧ２−ＴＳ形式のストリームデータに復調し、復調したストリームデータをＡＶスイッチ２３に与える。ＴＳ形式のストリームデータは、複数のパケットから構成されている。パケットは、番組を構成する３Ｄの映像信号及び音声信号等をパケット化したものであり、複数のパケットから、時系列順の映像信号及び音声信号が復元される。
【００３７】
ＡＶスイッチ２３は、後述の表示制御部２０の制御に従って、映像入力部２１から与えられた映像信号及び音声信号、又はチューナ部２２から与えられたストリームデータのいずれかを選択し、選択された映像信号及び音声信号又はストリームデータを信号処理部２４へ与える。
【００３８】
信号処理部２４は、ＡＶスイッチ２３から映像信号及び音声信号のストリームデータが与えられた場合、サイド・バイ・サイド方式の１フレーム映像中、右半分の映像を水平方向に伸張させた右目用の映像８と、左半分の映像を水平方向に伸張させた左目用の映像９とをフレームシーケンシャル方式で表示部２５に表示させる。また、音声信号をスピーカ２６に与えることによって、音声を外部出力する。
また、信号処理部２４は、ストリームデータが与えられた場合、ストリームデータを映像及び音声のデータに分離し、ＭＰＥＧ２の圧縮伸張方式に従って復調することによって、元の映像信号及び音声信号を生成する。そして、信号処理部２４は、生成された映像信号に対して、上述と同様の処理で、右目用の映像８及び左目用の映像９をフレームシーケンシャル方式で表示部２５に表示させる。
更に、信号処理部２４は、右目用の映像８及び左目用の映像９が表示されるタイミングと、右目用液晶シャッタ１７及び左目用液晶シャッタ１８の開閉タイミングとを同期させるための同期信号を同期信号送信部２７に与える。
同期信号送信部２７は、例えば、赤外線エミッタ回路であり、信号処理部２４から与えられた同期信号を赤外線で液晶シャッタ眼鏡１へ送信する。
【００３９】
表示部２５は、例えば、液晶パネル、プラズマディスプレイパネル、有機ＥＬパネル等で構成されており、信号処理部２４から与えられた映像信号に基づいて、映像を表示する。表示部２５は、例えば、テレビ放送信号を受信して映像を表示するテレビ受像装置に備わる。
【００４０】
表示制御部２０は、ＣＰＵ、ＲＯＭ、ＲＡＭ等を有し、表示装置２の各構成部に制御信号を与えて各構成部の動作を制御する。
記憶部２８は、例えばフラッシュメモリ等の不揮発性メモリであり、液晶シャッタ眼鏡１の電池の残量が少ないことを示す所定情報を記憶するための素子である。尚、記憶部２８は、不揮発性である必要はなく、揮発性のメモリであってもよい。
【００４１】
尚、今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００４２】
１  液晶シャッタ眼鏡
２  表示装置
８  右目用の映像
９  左目用の映像
１１  電池
１２  電源スイッチ
１３  タイマ
１４  発振回路
１５  同期信号受信部
１６  液晶シャッタ駆動部
１７  右目用液晶シャッタ
１８  左目用液晶シャッタ
２０  表示制御部
２１  映像入力部
２２  チューナ部
２３  ＡＶスイッチ
２４  信号処理部
２５  表示部
２６  スピーカ
２７  同期信号送信部
２８  記憶部
【図１】
2012037576.tif 000003
【図２】
2012037576.tif 000004
【図３】
2012037576.tif 000005
【図４】
2012037576.tif 000006
【図５】
2012037576.tif 000007